(57)【特許請求の範囲】
【請求項１】
浴槽の温湯循環口の湯水吸込み側に取り付けるフィルターベースに組み合わせ、浴槽内から吸い込む湯水からゴミ類を除くための循環口フィルターにおいて、
前記循環口フィルターは、一端が前記温湯循環口側に向ける開放部で、他端に底部を有する筒体であって、
前記筒体の内側に取り付けた湯水中のゴミ類を漉すためのフィルター部材と、前記筒体の側面と前記底部に設けた湯水吸込み口と、前記フィルターベースと嵌着可能に前記開放部周縁に設けた爪と、湯止め取付け部を設けた温湯循環口に対しては前記フィルターベースを介装せずに直接取付け可能な取付け手段と、
を有し、
前記湯止め取付け部があった場合は前記取付け手段により、前記湯止め取付け部がなかった場合は前記爪により装着可能としたことを特徴とする循環口フィルター。
【請求項２】
前記取付け手段は前記筒体内側の前記底部の中心に取り付けられ、前記湯止め取付け部に形成した螺子孔と螺合可能な螺子であることを特徴とする請求項１に記載の循環口フィルター。
【請求項３】
出口に湯止めを取り付ける取付けネジ穴を形成した循環口に請求項２に記載の循環口フィルターを取り付けるための取付け具であって、
前記取付けネジ穴と合うように形成したネジ止め穴と、前記循環口フィルターの螺子と螺合する螺子孔とを有することを特徴とする取付け具。
【発明の詳細な説明】
【０００１】
【発明の属する技術分野】
本発明は、浴槽の温湯循環口の湯水吸込み側に取り付けるフィルターベースに組み合わせ、浴槽内から吸い込む湯水からゴミ類を除くための循環口フィルターに関する。
【０００２】
【従来の技術】
従来この種の循環口フィルター１としては、例えば、図６に示すようなものがある。
【０００３】
すなわち、ポンプを用いた自然循環式風呂釜用の浴槽の温湯循環口３の湯水吸込み側にフィルターベース２を取り付けて、該フィルターベース２に嵌着させる循環口フィルターである。
【０００４】
このような循環口フィルター１は、ポンプを用いない自然循環式風呂釜用の浴槽にポンプを用いた自然循環式風呂釜のみならず制循環式風呂釜を取り付けた場合にも利用することができれば汎用性が増して好ましい。
【０００５】
【発明が解決しようとする課題】
しかしながら、ポンプを用いない自然循環式風呂としての浴槽の温湯吐出側の循環口には高温温湯の吐出による入浴者のやけどを防止するための「湯止め」を取り付けるために湯止め取付け部材４が取り付けられている場合がありこのような場合、ポンプを用いない自然循環式風呂釜からポンプを用いた自然循環式風呂釜に交換するには、図６に示すフィルター１を「湯止め」の無い吸込み側の循環口である下方の循環口に取り付けていた。また、本出願人は上方の循環口を吸込み側循環口として強制循環式風呂釜を取り付けたシステムを先の特許出願である特願平７−３１２９７２号で提案した。
【０００６】
このような場合、前述の自然循環式風呂の温湯吐出側を強制循環式風呂の湯水吸込み側として使用するには湯止め取付け部材４が邪魔になり、従来の循環口フィルター１は装着することができないという問題点があった。
【０００７】
本発明は、このような従来の問題点に着目してなされたもので、温湯循環口に湯止め取付け部材が取り付けられているか否かにかかわらず、温湯循環口に容易に装着できる循環口フィルターを提供することを目的としている。
【０００８】
【課題を解決するための手段】
かかる目的を達成するための要旨とするところは、次の各項に存する。
【０００９】
［１］浴槽の温湯循環口（１０Ａ、１０Ｂ）の湯水吸込み側（１０Ａ）に取り付けるフィルターベース（２０）に組み合わせ、浴槽内から吸い込む湯水からゴミ類を除くための循環口フィルター（３０）において、
前記循環口フィルター（３０）は、一端が前記温湯循環口（１０Ａ、１０Ｂ）側に向ける開放部（３１）で、他端に底部（３２）を有する筒体であって、
前記筒体の内側に取り付けた湯水中のゴミ類を漉すためのフィルター部材と、前記筒体の側面と前記底部に設けた湯水吸込み口（Ｆ）と、前記フィルターベース（２０）と嵌着可能に前記開放部（３１）周縁に設けた爪（３３）と、湯止め取付け部（４０）を設けた温湯循環口に対しては前記フィルターベース（２０）を介装せずに直接取付け可能な取付け手段（Ｓ）と
を有し、
前記湯止め取付け部（４０）があった場合は前記取付け手段（Ｓ）により、前記湯止め取付け部（４０）がなかった場合は前記爪（３３）により装着可能としたことを特徴とする循環口フィルター（３０）。
【００１０】
［２］前記取付け手段（Ｓ）は前記筒体内側の前記底部（３２）の中心に取り付けられ、前記湯止め取付け部（４０）に形成した螺子孔（４１）と螺合可能な螺子（Ｓ）であることを特徴とする項１に記載の循環口フィルター（３０）。
【００１１】
［３］出口に湯止めを取り付ける取付けネジ穴（１５ｂ、１５ｂ）を形成した循環口（１９）に項２に記載の循環口フィルター（３０）を取り付けるための取付け具（Ａ）であって、
前記取付けネジ穴（１５ｂ、１５ｂ）と合うように形成したネジ止め穴（１７、１７）と、前記循環口フィルター（３０）の螺子（Ｓ）と螺合する螺子孔（１８）とを有することを特徴とする取付け具（Ａ）。
【００１３】
循環口フィルター（３０）は浴槽の温湯循環口（１０Ａ、１０Ｂ）の湯水吸込み側（１０Ａ）に装着するが、温湯循環口（１０Ｂ）に湯止め取付け部（４０）等が設けられていない場合には、先に温湯循環口（１０Ａ、１０Ｂ）にフィルターベース（２０）を直接装着する。
【００１４】
次に、装着したフィルターベース（２０）に循環口フィルター（３０）を取り付ける。循環口フィルター（３０）はフィルターベース（２０）に着脱自在に嵌着することができ、取付け手段（Ｓ）の設けられた側をフィルターベース（２０）に嵌合させればよい。このとき循環口フィルター（３０）の取付け手段（Ｓ）はフィルターベース（２０）の中心に設けた開口部（２４）を通り抜けるので邪魔になることはない。
【００１５】
このようにして温湯循環口（１０Ａ、１０Ｂ）の湯水吸込み側（１０Ａ）に装着した循環口フィルター（３０）を通して浴槽内の湯水が吸い込まれる。湯水は循環口フィルター（３０）の側面と底部に設けた湯水吸込み口（Ｆ）のみを通って吸い込まれ、ゴミ類は循環口フィルター（３０）の内側に取り付けたフィルター部材で除かれるので、湯水吸込み側の温湯循環口（１０Ａ）から風呂釜を経て温湯吐出側の温湯循環口（１０Ｂ）に至る回路内はゴミや汚れの付着等が著しく低減される。
【００１６】
循環口フィルター（３０）はフィルターベース（２０）を温湯循環口（１０Ａ）に装着したままの状態で容易に外すことができるので、循環口フィルター（３０）の掃除あるいは交換を極めて容易に行うことができる。
【００１７】
温湯循環口（１０Ａ）に湯止め取付け部（４０）が設けられている場合には、湯止め取付け部（４０）が邪魔になりフィルターベース（２０）を介装できないので、循環口フィルター（３０）を湯止め取付け部（４０）に直接取り付けることになる。湯止め取付け部（４０）には循環口を横断し循環口の軸線と交差する所に湯止めに設けられた螺子と螺合する螺子孔が設けられているので、その螺子孔に循環口フィルター（３０）の取付け手段（Ｓ）である螺子を螺合させて取り付ければよい。また、取り外す場合には、単に取り付ける場合と逆方向に循環口フィルター（３０）を回せばよい。このように湯止め取付け部（４０）が設けられた循環口に対しても着脱が極めて容易であるにも拘わらず、取り付けた状態は非常に強固なものとすることができる。
【００１８】
【発明の実施の形態】
以下、図面に基づき本発明の一形態を説明する。
【００１９】
図１から図５は本発明の一形態を示している。
【００２０】
図１に示すように、浴槽の温湯循環口の湯水吸込み側１０Ａに浴槽内より吸い込む湯水からゴミ類を除くための循環口フィルター３０とそれを取り付けるフィルターベース２０が一組示されている。上下２つの温湯循環口１０Ａ、１０Ｂのうち上方の温湯循環口１０Ａを湯水吸込み側としているのは、浴槽に取り付けていた自然循環式風呂釜を強制循環式風呂釜に交換し、２つの温湯循環口１０Ａ、１０Ｂをともに使用する場合に有利となる場合があるからである。ポンプ付きの自然循環式風呂釜を取り付けた場合、通常は湯水の吸込みを下方の温湯循環口１０Ｂから行うが、そのときは下方の温湯循環口１０Ｂに取り付ければよい。
【００２１】
フィルターベース２０は例えば合成樹脂で一体成形したものであり、温湯循環口１０Ａよりも大きな外径の円周部２１を有している。円周部２１を境に一方の側には循環口フィルター３０と外嵌可能な凸部２３が形成されている。また、円周部２１の他方の側には温湯循環口１０Ａに取り付け可能な挿着部２２が形成されている。フィルターベース２０には浴槽内から吸い込んだ温水を通すために中心部を貫通する開口部２４が形成されている。
【００２２】
循環口フィルター３０は、図２に示すように、一端が温湯循環口１０Ａ側に向ける開放部３１で、他端に底部３２を有する略円筒の筒体である。
【００２３】
筒体の内径は後に図５において示すように温湯循環口１０Ａの周縁部１１の外径とほぼ同じか、それよりも大きくとられている。
【００２４】
筒体の側面と底部には浴槽内の湯水を吸い込むために切り欠いた複数の湯水吸込み口Ｆが形成されている。筒体の内側には湯水中のゴミ等を漉すためのフィルター部材（図示せず）が取り付けられており、少なくとも湯水吸込み口Ｆは内側からフィルター部材によって覆われている。湯水吸込み口Ｆには大きなゴミ類が付着することにより湯水の吸込みに支障がでることを防止するために、フィルター部材と外部との間に網状の部分を一体成形したり、あるいは金属等で別個に作ったものを取り付けてもよい。
【００２５】
筒体の開口端部３１の周縁には筒体の軸線方向と平行に突出した爪３３が形成されている。爪３３はフィルターベース２０の凸部２３内側で円周部２１に形成したガイド溝（図示せず）内をスライド可能なものであり、フィルターベース２０に装着したときに脱落を防ぐための切込３３Ａが形成されている。フィルターベース２０のガイド溝には切込３３Ａに嵌合する嵌合部（図示せず）が形成されている。
【００２６】
爪３３は筒体の外方に向いた突起であってもよい。この場合、前述のガイド溝の代わりにフィルターベース２０の凸部２３から内側に突出した突起帯を円周部２１から爪３３の厚さより僅かに大きい間隔をとって形成すればよい。
【００２７】
筒体内側の底部３２の中心部には螺子Ｓが取り付けられている。図３および図４に示すように螺子Ｓは筒体の長さよりも長い。螺子Ｓは図５に示すように、循環口１０Ａに湯止め取付け部４０が設けられている場合に、湯止め取付け部４０に直接取り付けるためのものである。湯止め取付け部４０は一端側が浴槽Ｂを貫通して浴槽Ｂの外側に連結された連結管Ｐに内嵌している。他端側は湯止めを取り付ける部分を有し、浴槽Ｂの内側にあって、従来例として図７のＮに示したように循環口１０Ａを横断するように設けられた部分の中央に湯止めの螺子と螺合する螺子孔４１が形成されている。循環口フィルター３０の螺子Ｓは螺子孔４１と螺合可能なものである。
【００２８】
次に作用を説明する。
【００２９】
循環口フィルター３０は浴槽の温湯循環口１０Ａ、１０Ｂのうち湯水吸込み側とする方に装着する。温湯循環口１０Ａ、１０Ｂには、自然循環式風呂として使用していたときに温湯を吐出する側に湯止めを装着するための湯止め取り付け部のあるものが有る（通常は下方の循環口）。図１においては、循環口フィルター３０を装着する温湯循環口１０Ａに湯止め取付け部４０等が設けられていない場合を示している。この場合は、先にフィルターベース２０を温湯循環口１０Ａに直接装着する。フィルターベース２０はその挿着部２２を温湯循環口１０Ａに挿入することにより取り付けることができる。
【００３０】
次に、温湯循環口１０Ａに装着したフィルターベース２０に循環口フィルター３０を取り付ける。循環口フィルター３０の爪３３をフィルターベース２０の凸部２３の内側の円周部２１に形成したガイド溝（図示せず）に合わせて右へ止まるまでひねればよい。このとき切込３３Ａは嵌合部と嵌合するので循環口フィルター３０はフィルターベース２０から脱落することはない。循環口フィルター３０の螺子Ｓはフィルターベース２０の中心に設けた開口部２４を通り抜けるので装着作業に邪魔となることはない。
【００３１】
掃除や交換のためにを循環口フィルター３０取り外す場合には、切込３３Ａと嵌合部との嵌合状態が解消するまで取り付ける場合と逆に左へ回せばよい。
【００３２】
このようにして湯水吸込み側の温湯循環口１０Ａに循環口フィルター３０を装着すると浴槽内の湯水は循環口フィルター３０の側面と底部に設けた湯水吸込み口Ｆのみを通って吸い込まれ、ゴミ類はの循環口フィルター３０の内側に取り付けたフィルター部材で除かれる。湯水吸込み口Ｆに網状の部分を設けたものにおいては、大きめのゴミ等は網状の部分にかかるのでゴミ等がフィルター部材を覆って湯水の吸込みに影響を与えることを防止することができる。かくして湯水吸込み側の温湯循環口１０Ａから風呂釜を経て温湯吐出側の温湯循環口１０Ｂに至る回路内はゴミや汚れの付着等が著しく低減される。
【００３３】
循環口フィルター３０はフィルターベース２０を温湯循環口１０Ａに装着したままの状態で容易に外すことができるので、循環口フィルター３０の掃除あるいは交換を極めて容易に行うことができる。
【００３４】
温湯循環口１０Ａに湯止め取付け部４０が設けられている場合には、湯止め取付け部４０が邪魔になりフィルターベース２０を介装できないので、循環口フィルター３０を湯止め取付け部４０に直接取り付ける。
【００３５】
湯止め取付け部４０には図５および従来技術を示した図７に示されるように温湯循環口１０Ａを横断する部分に湯止めに設けられた螺子と螺合する螺子孔が設けられている。したがって、図５に示すようにその螺子孔４１に循環口フィルター３０の螺子Ｓを螺合させ、循環口フィルター３０の開口端部３１の周縁が浴槽に密着するまで右へ回転させればよい。また、取り外す場合には、単に取り付ける場合と逆方向に循環口フィルター３０を回せばよい。このように湯止め取付け部４０が設けられた温湯循環口１０Ａに対しても着脱が極めて容易であるにも拘わらず、取り付けた状態は非常に強固なものとすることができる。
【００３６】
本形態では、循環口フィルター３０をフィルターベース２０と組み合わせての使用と循環口フィルター３０単独での使用を可能にしたものである。
【００３７】
それにより、広い汎用性を有し、温湯循環口の種類によらず容易に装着することができる。
【００３８】
前記形態においては、循環口フィルター３０を略円筒の筒体として示したが、それに限らず半球状或はどの様な形状であってもよい。
【００３９】
なお、従来の湯止めの例には図８に示すようなものも有った。すなわち、湯止め１４を該湯止めに形成された取付けネジ穴１５ａ、１５ａと循環口１９に形成された取付けネジ穴１５ｂ、１５ｂとを合わせてネジ１６、１６でネジ止めするものである。
【００４０】
このようなものの場合、図９に示した取付け具Ａを用いればよい。すなわち、湯止め１４を取り外し、図３に示した循環口フィルター３０の取付け螺子Ｓを螺合させる螺子孔１８と小判形に形成したネジ止め穴１７、１７を有する取付け具Ａの当該ネジ止め穴１７、１７と循環口１９に形成された取付けネジ穴１５ｂ、１５ｂとを合わせてネジ止めし、螺子孔１８に循環口フィルター３０の取付け螺子Ｓを螺合させて取り付けるものである。
【００４１】
【発明の効果】
本発明にかかる循環口フィルターによれば、フィルターベースを使用した装着と循環口フィルター単独での装着が可能なので、湯止め取付け部材が取り付けられているか否か等の温湯循環口の種類にかかわらず、温湯循環口への装着を極めて容易にすることができる。
【図面の簡単な説明】
【図１】本発明の一形態にかかる循環口フィルターをフィルターベースを介装して循環口に取り付ける場合を示す斜視図である。
【図２】本発明の一形態にかかる循環口フィルターを示す斜視図である。
【図３】本発明の一形態にかかる循環口フィルターを示す側面図である。
【図４】図２のＩ−Ｉ線断面図である。
【図５】本発明の一形態にかかる循環口フィルターを湯止め取付け部を設けた温湯循環口に取り付ける場合を示す概略図である。
【図６】従来の循環口フィルターとフィルターベースとを循環口に取り付ける場合を示す概略図である。
【図７】Ｍは温湯循環口及び該温湯循環口に取り付けられた湯止め取り付け部を示す概略断面図であり、Ｎは湯止め取り付け部の正面図である。
【図８】湯止め取付け部を設けた従来の温湯循環口を例示する略示図である。
【図９】図８に示した温湯循環口に循環口フィルターを取り付けるための取付け具を示す斜視図である。
【符号の説明】
１０Ａ、１０Ｂ…温湯循環口
２０…フィルターベース
３０…循環口フィルター
３１…開放部
３２…底部
Ｆ…フィルター部
Ｓ…取付け手段（取付け螺子）
４０…湯止め取付け部
４１…螺子孔
Ａ…取付け具
【図１】
0003558446.tif 000002
【図２】
0003558446.tif 000003
【図３】
0003558446.tif 000004
【図４】
0003558446.tif 000005
【図５】
0003558446.tif 000006
【図６】
0003558446.tif 000007
【図７】
0003558446.tif 000008
【図８】
0003558446.tif 000009
【図９】
0003558446.tif 000010